(57)【要約】  本発明は、使用者（２５）が１地点において随意の方向に歩行または走行することを可能にする装置（１）の制御方法と、そのための装置（１）とに関する。この装置（１）は定置された中心のプラットホーム（９）を含み、そのプラットホーム（９）は、それと同じ高さの凸多角形のデッキ（６）によって囲繞され、前記デッキ（６）は複数の台形のローラコンベヤに分割される。各コンベヤはその台形の基線と平行なローラを有し、その基線の短辺は前記プラットホームに隣接し、その基線の長辺は前記多角形の１辺を形成する。前記コンベヤのローラは、その上を歩く使用者（２５）を前記中心のプラットホーム（９）に連れ戻すように駆動される。ローラそのものは連続的な円形の円筒であり、そのローラの下側には、下側からローラと摩擦駆動係合する駆動ベルトが設けられる。この方法によれば、使用者（２５）の頭部に配置されるマーカー（２６）がビデオカメラ（２４）によって監視され、ローラコンベヤの速度が、認識されたマーカーのサイズおよび位置に応じて調節される。【選択図】図６
2014512926.tif 000002
【特許請求の範囲】
【請求項１】
使用者（２５）が１地点において随意の方向に歩行または走行することを可能にする装置（１）の制御方法であって、前記装置（１）は定置された中心のプラットホーム（９）を含み、前記プラットホーム（９）は、それと同じ高さの凸多角形のデッキ（６）によって囲繞され、前記デッキ（６）は複数の台形のローラコンベヤ（７）に分割され、各コンベヤ（７）は前記台形の基線と平行なローラ（８）を有し、前記基線の短辺は前記プラットホーム（９）に隣接し、前記基線の長辺は前記多角形の１辺を形成し、さらに、前記コンベヤ（７）のローラ（８）は、その上を歩く使用者（２５）を前記中心のプラットホーム（９）に連れ戻すように駆動される、制御方法において、次のステップ、すなわち、
前記装置（１）の上部に、その使用者（２５）よりかなり高い位置において複数個のビデオカメラ（２４）を装着するステップであって、前記カメラ（２４）は、規定されたマトリックスに配置されると共に下向きに向けられる、ステップと、
前記使用者（２５）の頭部に方向指示マーカー（２６）を装着するステップと、
前記マーカー（２６）の位置およびサイズを前記カメラ（２４）によって監視するステップと、
前記ローラコンベヤ（７）の速度を、前記カメラ（２４）によって上から見た前記中心のプラットホーム（９）からの前記マーカー（２６）の距離に応じて、前記距離が大きい場合には高速で、前記距離が小さい場合には低速で制御するステップと、
前記距離がゼロになると前記ローラコンベヤ（７）を停止するステップと、
を含む、ことを特徴とする方法。
【請求項２】
請求項１に記載の方法において、前記カメラ（２４）によって上から見た前記マーカー（２６）のサイズがかなり減少したとき、または、前記マーカー（２６）を前記カメラ（２４）から全く見ることができなくなったときには、前記ローラコンベヤ（７）を停止するステップをさらに含む、ことを特徴とする方法。
【請求項３】
請求項１または２に記載の方法において、前記使用者（２５）が見ることができるビデオディスプレーまたはスクリーンを装着するステップと、前記ビデオディスプレーまたはスクリーン上に示される内容を、前記ローラコンベヤ（７）の速度と、前記マーカー（２６）の実際の位置およびサイズ並びにその方向とに適応させるステップとをさらに含む、ことを特徴とする方法。
【請求項４】
請求項３に記載の方法において、前記ビデオディスプレーまたはスクリーン上に示されるべき主題を、使用されるマーカー（２６）のタイプに応じて選択するステップをさらに含む、ことを特徴とする方法。
【請求項５】
請求項１〜４のいずれか一項に記載の方法において、前記使用者（２５）の頭上のマーカー（２６）の方向が、前記デッキ（６）の上に踏み出した前記使用者（２５）が前記中心のプラットホーム（９）に対して非半径方向に向いていることを示す場合には、前記ローラコンベヤ（７）の速度を低下させるステップをさらに含む、ことを特徴とする方法。
【請求項６】
使用者（２５）が１地点において随意の方向に歩行または走行することを可能にする装置（１）であって、前記装置（１）は定置された中心のプラットホーム（９）を含み、前記プラットホーム（９）は、それと同じ高さの凸多角形のデッキ（６）によって囲繞され、前記デッキ（６）は複数の台形のローラコンベヤ（７）に分割され、各コンベヤ（７）は前記台形の基線と平行なローラ（８）を有し、前記基線の短辺は前記プラットホーム（９）に隣接し、前記基線の長辺は前記多角形の１辺を形成し、前記コンベヤ（７）の前記ローラ（８）は、その上を歩く使用者（２５）を前記中心のプラットホーム（９）に連れ戻すように駆動され、前記ローラ（８）は連続的な円形の円筒であり、各コンベヤ（７）の下側には、下側から前記ローラ（８）と摩擦駆動係合する駆動手段（１４）が設けられる、装置（１）において、
前記駆動手段（１４）が、前記ローラコンベヤ（７）に沿って延びるエンドレスのベルト（１５）を含み、前記エンドレスのベルト（１５）は、前記ローラコンベヤ（７）のすべてのローラ（８）と摩擦駆動係合していること、および、
前記駆動手段（１４）が、前記コンベヤローラ（８）の中心部分において前記コンベヤローラ（８）と摩擦係合し、前記ローラ（８）は、その端部において、弾性的に取り付けられる軸受（１３）内に枢支されること、
を特徴とする装置（１）。
【請求項７】
請求項６に記載の装置（１）において、前記駆動手段（１４）の駆動軸（１８）が、フレキシブルジョイント（１９）によって相互に連結され、かつ、単一モータ（２０）によって駆動される、ことを特徴とする装置（１）。
【請求項８】
請求項６または７に記載の装置（１）において、前記デッキ（１６）が、その周囲を、それと同じ高さの定置型のフロアプレート（２）によって取り囲まれる、ことを特徴とする装置（１）。
【請求項９】
請求項８に記載の装置（１）において、前記フロアプレート（２）が前記駆動手段（１４）の部品をカバーする、ことを特徴とする装置（１）。
【請求項１０】
請求項８または９に記載の装置（１）において、前記デッキ（１６）が正凸多角形であり、かつ、そのローラコンベヤ（７）は均等な二等辺四辺形である、ことを特徴とする装置（１）。
【発明の詳細な説明】
【技術分野】
【０００１】
本発明は、使用者が１地点において（ｏｎ  ｔｈｅ  ｓｐｏｔ）随意の方向に歩行または走行することを可能にする装置の制御方法に関する。この装置は定置された中心のプラットホームを含み、そのプラットホームは、それと同じ高さの凸多角形のデッキによって囲繞されている。前記デッキは複数の台形のローラコンベヤに分割され、各コンベヤはその台形の基線と平行な複数のローラを有し、その基線の短辺は前記プラットホームに隣接し、その基線の長辺は前記多角形の１辺を形成する。ここで、前記コンベヤのローラは、その上を歩く使用者を前記中心のプラットホームに連れ戻すように駆動される。さらに、本発明は、このような方法によって制御される装置に関する。
【背景技術】
【０００２】
上記の種類の問題となっている装置は、国際公開第９６／３５４８１Ａ２号パンフレットから既に知られている。この出願においては、装置の一実施形態が開示されているが、この装置は台形のローラコンベヤを含み、このローラコンベヤは、２つの等しい長さの円形の円筒部分であって、その中間に中央のウエスト部分を含む２つの円筒部分に分割されたローラを有する。さらに、この国際出願においては、装置の使用者が装着する加速度計からのデータに基づいて前記装置を制御する方法が開示されている。
【０００３】
この既知の装置および方法は安全に関するいくつかの懸念を喚起する。懸念の１つは、ローラのウエスト部分を、提示されているように皿頭のカバー帯片によって部分的にカバーするとしても、前記ウエスト部分が、使用者の衣服を危険な形で巻き込むリスクを高める点にある。さらに、この既知の方法に用いる加速度計は、使用者が躓くのを検出する場合に殆ど役に立たない。使用者の躓きは、安全上の理由から、例えば指が挟まれるリスクを避けるために、コンベヤを直ちに停止する必要を生じるだろう。
【０００４】
次に、この既知の装置にはいくつかの実際的な欠点もある。ベルトを用いるにしろ、あるいは、歯車を用いるにしろ、ローラ駆動のために選択される方法によって、ローラの組み込みがきわめて複雑になっている。ベルトの場合は、ローラを取り巻くので、ローラの装着または取り外しが妨げられ、歯車の場合は、隣のローラを反対方向でなく同方向に回転させるために中間ギヤの使用が必要になる。
【０００５】
別の先行技術の装置が国際公開第２０１０／０８９６１８Ａ２号パンフレットに開示されている。この装置も、台形のローラコンベヤから構成されるプラットホームを備えているが、このコンベヤのローラは安全設計である。このローラは連続的な円形の円筒であって、下側から摩擦ホイールによって駆動される。この構造は、使用者の衣服を巻き込むリスクを最小化している。装置を制御し、かつ使用者をプラットホームの中央部に維持するために、使用者を一定距離に取り囲む円形のレールが用いられる。このレールは、レールからの使用者の距離を測定するセンサー手段を担持でき、その距離データは、ローラコンベヤを制御するための入力として用いられる。
【０００６】
上記の後者の装置は、前者の装置より組み立てが遥かに容易であるが、装置に使用される非常に多数の摩擦ホイールがいくらかの改善の余地を残している。さらに、周囲レール上に配置される距離測定センサー手段を使用しているので、例えば、使用者がひざまずき、あるいは躓いて倒れたときに、装置を安全に制御できなくなる。
【０００７】
以上の技術的な背景に対して、本発明の第１の目的は、冒頭に述べたタイプの装置を有利に制御する方法を考案することにある。本発明の第２の目的は、改良された台形のローラコンベヤを備えた装置を提供することにある。
【発明の概要】
【０００８】
本発明によれば、上記第１の目的は、冒頭に述べた方法であって、さらに、以下のステップ、すなわち、装置の上部に、その使用者よりかなり高い位置において複数個のビデオカメラを装着するステップであって、前記カメラは、規定されたマトリックスに配置されると共に下向きに向けられる、ステップと、前記使用者の頭部に方向指示マーカーを装着するステップと、前記マーカーの位置およびサイズを前記カメラによって監視するステップと、ローラコンベヤの速度を、前記カメラによって上から見た前記中心のプラットホームからの前記マーカーの距離に応じて、前記距離が大きい場合には高速で、その距離が小さい場合には低速で制御するステップと、前記距離がゼロになるとローラコンベヤを停止するステップと、を含むことを特徴とする方法によって実現される。先行技術の装置の場合のように、加速度計の代わりにビデオカメラを使用することによって、使用者は、装置に接続されるために、簡単なマーカーを、例えば帽子またはヘルメットの頂部に着用する必要があるだけである。従って、電池パックなどを配線または装着する必要はなく、これによって、便宜性と安全性とが向上する。さらに、マーカーを、歩行または走行の間前後に動く使用者の腕または脚ではなく頭上に配置することによって、使用者の実際の位置の監視と、それに対するローラコンベヤ速度の調整とが一層確実かつ遥かに容易になる。
【０００９】
本発明による方法は、前記カメラによって上から見た前記マーカーのサイズがかなり縮小したとき、または、マーカーを前記カメラから見ることができなくなったときには、ローラコンベヤを停止するステップをさらに含むことが望ましい。このステップは別の重要な安全上の特徴を示している。その理由は、使用者がひざまずくか、横になるか、よろめいて倒れるか、単にマーカーを紛失した場合に、本発明による装置のローラコンベヤは直ちに停止することが保証されるからである。
【００１０】
本発明による方法は、さらに、使用者が見ることができるビデオディスプレーまたはスクリーンを装着するステップと、前記ビデオディスプレーまたはスクリーン上に示される内容を、ローラコンベヤの速度と、前記マーカーの実際の位置およびサイズ並びにその方向とに適応させるステップとをさらに含むことが望ましい。これによって、前記ビデオディスプレーまたはスクリーンが映し出す仮想現実環境を使用者が全体的に認識することが大幅に強化することが可能となる。さらに、好ましい一実施形態によれば、前記ビデオディスプレーまたはスクリーン上に示される主題を、使用されるマーカーのタイプに応じて選択できる。これによって、例えば、単に、ある１つのタイプのマーカーをその上に有する帽子から別のタイプのマーカーをその上に有する別の帽子に変えることによって、本発明による装置を、一層使用者親和的かつ使用者に順応可能なものにすることができる。
【００１１】
本発明による方法は、使用者の頭上のマーカーの方向が、デッキの上に踏み出した使用者が中心のプラットホームに対して非半径方向に向いていることを示す場合には、ローラコンベヤの速度を低下させるステップをさらに含むことが望ましい。このステップは、使用者が例えば歩行中に頭を回した場合、使用者は通常その歩行速度を落とすので、本発明による装置のローラコンベヤによって速く動かされるとバランスを崩す可能性があることを考慮している。
【００１２】
本発明によれば、第２の目的は、使用者が１地点において随意の方向に歩行または走行することを可能にする装置であって、定置された中心のプラットホームを含み、そのプラットホームは、それと同じ高さの凸多角形のデッキによって囲繞され、前記デッキは複数の台形のローラコンベヤに分割され、各コンベヤはその台形の基線と平行なローラを有し、その基線の短辺は前記プラットホームに隣接し、その基線の長辺は前記多角形の１辺を形成し、さらに、前記コンベヤのローラは、その上を歩く使用者を前記中心のプラットホームに連れ戻すように駆動され、前記ローラは連続的な円形の円筒であり、各コンベヤの下側には、下側から前記ローラと摩擦駆動係合する駆動手段が設けられる、装置において、前記駆動手段が、ローラコンベヤに沿って延びるエンドレスのベルトを含み、そのエンドレスのベルトは、ローラコンベヤのすべてのローラと摩擦駆動係合していること、および、前記駆動手段が、コンベヤローラの中心部分においてコンベヤローラと摩擦係合し、前記ローラは、その端部において、弾性的に取り付けられる軸受内に枢支されること、を特徴とする装置である。国際公開第９６／３５４８１Ａ２号パンフレットに記載される設備に比べると、この設備の場合は、台形のローラコンベヤおよびそのローラの製作と組込みとが簡単になるだけでなく、例えば、コンベヤを持ち上げて取り外すために駆動ベルトを脱着させる必要がないので、維持管理も容易になる。さらに、本発明によるこの装置は、ローラコンベヤの表面が以前より平滑になり、かつ凹凸が少なくなるので、衣服の巻き込みまたは指の挟み込みのリスクを低減するという点で安全性を改善する。さらに、本発明による装置は、国際公開第２０１０／０８９６１８２号パンフレットの装置に比べると、個別のゴムホイールを含む駆動方式より完成するのが遥かに容易であり、本発明による装置の組み込み弾性方式によって、ローラコンベヤが、若干の弾性を有するスポーツフロアと同様に、より快適にその上を歩行または走行できるものになり、使用者がロールの中心部分から外れたロールの位置を踏んでも、コンベヤのロールと前記駆動手段との間の良好な駆動接触が確保される。
【００１３】
前記駆動手段の駆動軸は、フレキシブルジョイントによって相互に連結し、単一モータによって駆動することが望ましい。ある角（かど）の角度が合理的な限界内にあれば、その角を回って回転動作を伝達するために、ユニバーサルジョイントとも呼称されるフレキシブルジョイントを用いることはよく知られている。従って、本発明による装置においては、単一モータからすべてのコンベヤに、いかなる遮断問題をも惹起しないような小角度のステップにおいて動力を伝達するために、２つの隣接するローラコンベヤの間の移行ごとに、１つのこのようなジョイントを用いることができる。
【００１４】
本発明による装置のデッキは、その周囲を、それと同じ高さの定置型のフロアプレートで取り囲むことが望ましい。このフロアプレートは、装置の外側の限界を形成し、例えば、装置のローラコンベヤの速度が使用者を中心のプラットホームに連れ戻すには遅すぎる場合の安全退避場所として用いることができる。
【００１５】
前記フロアプレートは、前記駆動手段の部品をカバーすることが望ましい。これは、それによって駆動手段へのアクセスが簡略化されるので非常に有利である。さらに、これによって装置の高さを最小化できる。その理由は、例えば、好ましい単一モータはかなりのサイズにならざるを得ないが、そのモータを、どちらかといえば厚いローラコンベヤの下部ではなく、薄いフロアプレートの下部に隠すことができるからである。
【００１６】
本発明による装置の好ましい実施形態によれば、前記デッキは正凸多角形であり、そのローラコンベヤは均等な二等辺四辺形である。このような方式は、随意の方向における歩行または走行をなんらの制限なしに可能にする装置が創出される場合、最も有利である。これは、いくつかのローラコンベヤの外側の限界が中心のプラットホームに近接しているが、その他のコンベヤはそうでないような場合に該当する可能性がある。
【００１７】
図面には、本発明による装置の好ましい実施形態が示され、本発明による方法の好ましい実施形態が説明されている。
【図面の簡単な説明】
【００１８】
【図１】図１は、本発明による装置の好ましい実施形態を斜視図で示す。
【図２】図２は、図１の装置を上から見た図である。
【図３】図３は、図２の部分Ａの、いくつかの部分が分解された詳細図である。
【図４】図４は、図２の線Ｂ−Ｂに沿う装置の側面図である。
【図５】図５は、図４の部分Ｃの詳細図である。
【図６】図６は、装置の使用者と、装置そのものと、本発明による方法を実施するのに必要な他の手段とを斜視図で示す。
【発明を実施するための形態】
【００１９】
本発明の好ましい実施形態による装置１は上から見ると略円形である。円形の周囲は、水平のリング形状のフロアプレート２によって作出され、このリング形状のフロアプレート２は、半径方向の線によっていくつかの扇形部分３に分割される。合計１６個の同一のフロア扇形部分３があり、そのすべてが、分割線の下側の半径方向のビーム５を含むフレーム構造４の上に載っている。半径方向のビーム５を含むフレーム構造４は、図３に最もよく見ることができる。図３においては、装置１の下部構造を明らかにするために、２つのフロア扇形部分３が取り外されている。リング形状のフロアプレート２の内周においては、各フロア扇形部分３が、１本の分割線から次の分割線まで直線的に延びる線を形成する。これによって、１６個のフロア扇形部分３が正１６角形のリング状開口を構成する。
【００２０】
リング形状のフロアプレート２のリング状開口の内側に、フロアプレート２と同じ高さの水平デッキ６が設けられる。このデッキ６もリング形状であり、フロアプレート２と同心である。デッキ６は、合計１６個の同一のローラコンベヤ７、すなわち、それぞれ、台形の基線に平行なローラ８を備えた１つの二等辺四辺形の台形から構成される。１６個のローラコンベヤ７は、それぞれ、１６個のフロア扇形部分３の１つと半径方向において同心に配列され、かつ、それぞれ、当該ローラコンベヤ７の長い方の基線に沿うローラ８によって、いかなる大きな中断もなくそのフロア扇形部分３に接続される。ローラコンベヤ７の短い方の基線に沿う反対側のローラ８は、デッキ６の内側の周囲を形成する正１６角形の開口を規定する。
【００２１】
最後に、リング形状のデッキ６のリング状開口の内側に、フロアプレート２およびデッキ６の両者と同じ高さの水平の中心プラットホーム９が設けられる。このプラットホーム９は、定置型であり、正１６角形の形状と、デッキ６の内周にいかなる大きな中断個所をも残すことなく適合するサイズとを有する。この中心のプラットホーム９は、フロアプレート２と同様に、円形の装置１の中心に全長にわたって延び込む半径方向のビーム５を有する前記フレーム構造４の上に載っている。
【００２２】
デッキ６もフレーム構造４の上に載っているが、半径方向のビーム５の上に直接載っているのではなく、図５の詳細図に見られるように、このビーム５の頂部に装着される弾性のエラストマー帯１０の上に載っている。前記エラストマー帯１０の上に、ローラコンベヤ７の側板１１が載っている。この側板１１はスタッド１２によって所定位置に保持されるが、このスタッド１２は、半径方向のビーム５に取り付けられ、前記側板１１におけるオリフィス開口を自在に通過する。これによって、前記支持された側版の若干の動きが、前記オリフィス開口の頂部に突き出るスタッド１２のヘッドによって規定される限界内において可能になる。
【００２３】
ローラコンベヤ７のローラ８は、前記側板１１が保持する軸受１３内に枢支されると共に、相互に接触することなく、相互にできるだけ近接して取り付けられる。この取り付けは、１つの同じローラコンベヤ７の範囲内において平行に、かつ、前記フレーム構造４の半径方向のビーム５の頂部において隣接する２つのローラコンベヤ７の間において横向きに行われる。従って、ローラ８は、ローラ８の下部に配置されかつそれぞれのローラ８と摩擦接触する駆動手段１４がなければ、自在に回転し得るであろう。
【００２４】
図３に見られるように、本発明の好ましい実施形態によれば、すべてのローラコンベヤ７の駆動手段１４は、エンドレスのベルト１５を備えている。このベルト１５は、当該ローラコンベヤ７の中心において、装置１の中心に向かって半径方向に延びている。各エンドレスベルト１５の上部ベルト（ｕｐｐｅｒ  ｃｏｕｒｓｅ）の下部の摺動支持体１６によって、これらの上部ベルトが、ローラコンベヤ７のすべてのローラ８と摩擦係合するように押し付けられる。ここで、ローラコンベヤ７が弾性支持されているので、ローラ８が偏心負荷を受ける状況においても、完全なベルト−ローラの接触が確保される。
【００２５】
各エンドレスベルト１５は終端プーリ１６、１７の回りに動くが、このプーリのうち、内側のプーリ１６が従動プーリであり、外側のプーリ１７が駆動プーリであることが望ましい。さらに、駆動プーリ１７はカルダン軸装置１８によって駆動される。このカルダン軸装置１８は、駆動プーリ１７の両側にフレキシブルジョイント１９を含み、単一の電気モータ２０から第１駆動プーリ１７まで延びており、さらにそれから次の駆動プーリ１７まで延び、以下同様に延びている。
【００２６】
図３によく見られるように、カルダン軸装置１８は、フロアプレート２の下に十分に隠れるが、選択されたフロア扇形部分３を単に取り外すことによって簡単にアクセス可能である。同じことがローラコンベヤ７にも当てはまるが、ローラコンベヤ７は、それが摩擦駆動され、従って、固定用スタッド１２を取り外すと簡単に持ち上げることができるという点から、極めて取り外しが簡単である。
【００２７】
図６には、上記の好ましい実施形態による装置１が、装置１の制御方法を可能にするために用意されるいくつかの付加的な特徴と共に示されている。図６においては、装置１の斜視図そのものは図１と同じなので、先行の参照符号は殆ど省略されている。
【００２８】
図６の構成は、装置１の他に、装置１を取り囲むケージ２１を含む。ケージ２１は、垂直の柱２２と、対角線上に延びるレール２３を含む屋根部とを有する。柱２２は、それ自体既知の仮想現実環境の作出を可能にするビデオディスプレーまたはスクリーン（図示されていない）を取り付けるために用いることが望ましい。レール２３は、下向きに向けられるビデオカメラ２４を担持している。図から分かるように、ビデオカメラ２４は、装置１の使用者２５のかなり上部の高さにおいて、好適に規定されたマトリックスに配置される。使用者は帽子を着用しており、その帽子の頂部に、方向を指示する規定されたパターンのマーカー２６が設けられる。
【００２９】
本発明による方法においては、ビデオカメラ２４が、マーカー２６の位置と、そのサイズと、その方向とを追跡し、その情報を、装置１の使用者２５が現在どこにいるか、および、使用者がどこを指向しているかまたは向いているかを決定するために用いる。使用者が、定置型プラットホーム９上の装置１の中心にいないか、あるいはプラットホーム９から離れると、電気モータ２０を作動させ、ローラコンベヤ７を駆動して、ローラコンベヤ７がその上に踏み出した使用者２５をプラットホーム９に連れ戻すようにさせる。この方法によれば、使用者２５をプラットホーム９に連れ戻す速度は、使用者２５がプラットホームから遠くに離れている程速くなる。これは、使用者２５が定置型プラットホーム９に近付くか、あるいは近接していると、その速度を落とすことをも意味している。使用者２５が定置型プラットホーム９の上に戻ると、電気モータ２０は再停止され、従って、ローラコンベヤ７が停止される。本発明による方法においては、ローラコンベヤ７は、使用者２５の頭上のマーカー２６が認識し難くなるかあるいは検出不能になった場合にも、同様に停止される。このような状況は、使用者２５が躓いて倒れるか、または、デッキ６を通り過ぎてフロアプレート４の上に踏み込んでいるか、あるいは、何らかの理由でマーカー２６が脱落しているかに起因する可能性がある。さらに、マーカー２６の認識されたサイズの変化を検出した場合は、使用者２５がひざまずくかまたは横になったことによる可能性があるが、このような場合も、安全のためにローラコンベヤ７を直ちに停止する指標として用いることが可能である。
【００３０】
本発明による方法に基づくさらに改良された制御モードにおいては、ローラコンベヤ７の速度が、中心のプラットホーム９に対する使用者２５の位置に基づいており、この場合、それに加えて、場合によっては、使用者の位置変化が生じる時間を明らかにし、それに従ってローラコンベヤ７の速度を適応させる微分要素（ｄｅｌｉｖａｔｉｎｇ  ｅｌｅｍｅｎｔｓ）と、時間とともにより速い最大コンベヤ速度を可能にする積分要素とを備えている。
【００３１】
本発明による方法は、使用者２５が見ることができるビデオディスプレーまたはスクリーン（図示されていない）を装着するステップと、その表示内容、すなわち、そのビデオディスプレーまたはスクリーン上に示される内容の観察角度または移動速度を、ローラコンベヤ７の速度と、前記マーカー２６の実際の位置およびサイズ並びにその方向とに適応させるステップとをさらに含むことができる。また、前記ビデオディスプレーまたはスクリーン上に示される主題を、使用するマーカー２６のタイプに応じて選択することが好適に可能である。すなわち、例えば、軍隊ヘルメット上のマーカー２６の場合には、戦闘シーンが開始され、あるいは、駅長の帽子上のマーカー２６の場合には列車のプラットホームのシーンが開始されるような例が挙げられる。
【００３２】
最後に、本発明による方法は、使用者２５の頭上のマーカー２６の方向が、デッキ６の上に踏み出した使用者２５が中心のプラットホーム９に対して非半径方向に向いていることを示す場合には、ローラコンベヤ７の速度を低下させるステップをさらに含むことができる。これは、使用者２５が歩行中に頭を回した場合、使用者２５は通常その歩行速度を落とすので、装置１のローラコンベヤ７によって速く動かされるとバランスを崩す可能性があることを考慮している。
【図１】
2014512926.tif 000003
【図２】
2014512926.tif 000004
【図３】
2014512926.tif 000005
【図４】
2014512926.tif 000006
【図５】
2014512926.tif 000007
【図６】
2014512926.tif 000008
【国際調査報告】
2014512926.tif 000009
2014512926.tif 000010
2014512926.tif 000011
2014512926.tif 000012